(57)【要約】【課題】保安性を確保しつつ、設置態様に応じて利便性及び快適性の低下を抑制する空調室内機を提供する。【解決手段】対象空間ＳＰに設置され、冷媒回路ＲＣを構成する室内ユニット３０であって、接続判定部６５と、表示制御部６７と、切換部６２と、を備える。接続判定部６５は、冷媒漏洩センサ５５と通信が正常に行える否かの通信判断を行う。冷媒漏洩センサ５５は、対象空間ＳＰにおける冷媒漏洩を検出する。表示制御部６７は、接続判定部６５が冷媒漏洩センサ５５との通信が正常に行えないと判断した場合に、エラー表示情報（報知情報）を出力する。切換部６２は、接続判定部６５における通信判断、及び表示制御部６７における報知情報の出力、を行わせるか否かの切換えを行う。【選択図】図６
2017036890.tif 000002
【特許請求の範囲】
【請求項１】
対象空間（ＳＰ）の天井（Ｃ１）近傍又は床面（Ｆ１）近傍に設置され、冷媒回路（ＲＣ）を構成する空調室内機（３０、３００）であって、
前記対象空間における冷媒漏洩を検出する冷媒漏洩センサ（５５）と、通信が正常に行える否かの通信判断を行う判断部（６５）と、
前記判断部が前記冷媒漏洩センサとの通信が正常に行えないと判断した場合に、報知情報を出力する出力部（６７）と、
前記判断部における前記通信判断、又は前記出力部における前記報知情報の出力、を行わせるか否かの切換えを行う切換部（６２、６２ａ）と、
を備える空調室内機（３０、３００）。
【請求項２】
前記判断部が前記冷媒漏洩センサとの通信が正常に行えないと判断した場合に、運転を禁止する運転可否判定を行う運転許可部（６６）をさらに備え、
前記切換部は、前記運転許可部に前記運転可否判定を行わせるか否か、の切換えをさらに行う、
請求項１に記載の空調室内機（３０、３００）。
【請求項３】
前記切換部は、前記切換えを決定するための決定手段（ＳＷ１、５０１）を含む、
請求項１又は２に記載の空調室内機（３０）。
【請求項４】
前記決定手段は、ディップスイッチ（ＳＷ１）又はジャンパー線である、
請求項３に記載の空調室内機（３０）。
【請求項５】
ユーザがコマンドを入力するための入力部（５０１）、を含むリモコン（５０）をさらに備え、
前記入力部は、前記決定手段として機能する、
請求項３又は４に記載の空調室内機（３０）。
【請求項６】
設置されている高さ位置を検出する検出部（５８）をさらに備え、
前記切換部（６２ａ）は、前記高さ位置に応じて切り換える、
請求項１又は２に記載の空調室内機（３００）。
【発明の詳細な説明】
【技術分野】
【０００１】
本発明は、空調室内機に関する。
【背景技術】
【０００２】
従来、特許文献１（特開２０１２―１３３４８）に開示されるように、対象空間（室内）の天井付近に設置され、室外機とともに冷媒回路を構成し、対象空間における空気調和を実現する空調室内機が普及している。係る空調室内機は、必ずしも天井付近に設置されるとは限らず、対象空間の側壁内部や天井よりも床面に近い位置に設置されることもあり、設置環境に応じて臨機応変に設置位置を選択されうる。
【０００３】
昨今、特許文献１にも示されるように、空調室内機において構成される冷媒回路を循環する冷媒としては、炭化水素系冷媒やＨＦＣ系冷媒と比較して環境負荷の少ないＲ３２、のような微燃性を有する冷媒が用いられることがある。
【０００４】
ここで、係る微燃性を有する冷媒が対象空間に漏洩すると、場合によっては着火の可能性があるため、係る冷媒を用いる場合には保安性を考慮する必要がある。特にＲ３２のような空気よりも比重が大きい冷媒に関しては、冷媒漏洩が生じた時に、対象空間に漏洩した冷媒（漏洩冷媒）が床面付近に滞留して着火リスクの高い濃度となることを予防する必要がある。この点、特許文献１では、漏洩冷媒を検知する冷媒漏洩センサを有し、冷媒漏洩が生じた場合には漏洩冷媒を拡散させるべく送風機を強制運転させて、保安性を確保しようとしている。
【発明の概要】
【発明が解決しようとする課題】
【０００５】
しかし、現地での施工時に、サービスマンによって冷媒漏洩センサが設置されて空調室内機と冷媒漏洩センサとが電気的に接続される場合には、係る設置又は接続が適正に行われないケースが考えられる。また、冷媒漏洩センサが、製品不良や経年劣化により、正常に動作しなくなるケースも考えられる。これらのケースにおいて、係る状態にあることがユーザ、サービスマン又は管理者（ユーザ等）によって認知されなければ、冷媒漏洩に対する保安性が確保されていない状態で日常的に運転が行われうる。よって、これらのケースにおいては、保安性を確保するべく、ユーザ等に対する報知を適宜行う必要がある。
【０００６】
一方で、ルームエアコン（１台の空調室内機と１台の室外機とで冷媒回路が構成される場合）においては、マルチタイプの空調システム（複数台の空調室内機と１台の室外機とで冷媒回路を構成する場合）と比較して、充填冷媒量が小さい。充填冷媒量が特に大きくないルームエアコンにおいて空調室内機が天井付近に設置される場合には、冷媒漏洩が生じても、対象空間の床面付近に存在する漏洩冷媒は、天井付近に設置される空調室内機（上方）から落下する漏洩冷媒によって拡散され、対象空間において漏洩冷媒の濃度が着火リスクのある値となることが避けられる。よって、ルームエアコンの天井付近に設置される空調室内機においては、上記報知を行う必要性が大きくなく、係る報知を行うことでかえってユーザの利便性や快適性の低下を招きかねない。
【０００７】
しかし、ルームエアコンであっても空調室内機が床面付近に設置されるケースにおいては、冷媒漏洩時に、床面付近に存在する漏洩冷媒が上方から落下する漏洩冷媒によって拡散されないため、対象空間において、床面付近に漏洩冷媒が滞留し、漏洩冷媒の濃度が着火リスクのある値となりうる。また、マルチタイプの空調システムにおいては、充填冷媒量によっては、空調室内機が天井付近に設置される場合であっても、冷媒漏洩時に対象空間において漏洩冷媒の濃度が着火リスクのある値となりうる。
【０００８】
以上の事情に鑑みて、本発明の課題は、保安性を確保しつつ、設置態様に応じて利便性及び快適性の低下を抑制する空調室内機を提供することである。
【課題を解決するための手段】
【０００９】
本発明の第１観点に係る空調室内機は、対象空間に設置され、冷媒回路を構成する空調室内機であって、判断部と、出力部と、切換部と、を備える。判断部は、冷媒漏洩センサと通信が正常に行える否かの通信判断を行う。冷媒漏洩センサは、対象空間における冷媒漏洩を検出する。出力部は、判断部が冷媒漏洩センサとの通信が正常に行えないと判断した場合に、報知情報を出力する。切換部は、判断部における通信判断、又は出力部における報知情報の出力、を行わせるか否かの切換えを行う。
【００１０】
本発明の第１観点に係る空調室内機では、判断部は冷媒漏洩センサと通信が正常に行える否かの通信判断を行い、出力部は判断部が冷媒漏洩センサとの通信が正常に行えないと判断した場合（すなわち、冷媒漏洩が生じた際に冷媒漏洩センサからの信号が正常に受信されないと想定される場合）に報知情報を出力する。これにより、冷媒漏洩センサとの通信が正常に行えない場合には、ユーザ等に対してその旨を報知することが可能となる。その結果、ユーザ等が、冷媒漏洩に対する保安性が確保されていない状態にあることを認識可能となり、対処することが可能となる。よって、冷媒漏洩に対する保安性が向上する。
【００１１】
また、本発明の第１観点に係る空調室内機では、切換部は、判断部における通信判断、又は出力部における報知情報の出力、を行わせるか否かの切換えを行う。これにより、報知の必要性がないと想定される設置態様で空調室内機が設置されている場合（例えば、ルームエアコンの空調室内機を天井付近に設置する場合等）には、係る報知を行わないように設定することが可能となる。すなわち、必要に応じて、報知を行うか否かを決定することが可能となる。よって、ユーザが不必要に利便性又は快適性の低下を強いられることが抑制される。
【００１２】
したがって、必要に応じて冷媒漏洩に対する保安性を確保しつつ、利便性及び快適性の低下を抑制することが可能となる。
【００１３】
なお、ここでの「冷媒回路」において使用される冷媒は、特に限定されないが、例えば、Ｒ３２のような微燃性の冷媒、又は、プロパンのような燃焼性を有する冷媒、又は、アンモニアのような毒性を有する冷媒が想定される。
【００１４】
また、「冷媒漏洩センサとの通信が正常に行えない」場合には、冷媒漏洩センサが適正に設置されていない、断線や接続不良等により冷媒漏洩センサとの信号伝送路が適正に構築されていない、又は冷媒漏洩センサが正常に動作しない、ことを起因として通信が正常に行えない場合を含む。
【００１５】
また、「報知情報を出力」には、視覚的表示（例えば、光源部の点灯及び点滅）や、音声出力（警告音の出力）等が含まれる。
【００１６】
本発明の第２観点に係る空調室内機は、第１観点に係る空調室内機であって、運転許可部をさらに備える。運転許可部は、判断部が冷媒漏洩センサとの通信を正常に行えないと判断した場合に、運転を禁止する運転禁止処理を行う。切換部は、運転許可部に運転禁止処理を行わせるか否か、の切換えをさらに行う。これにより、運転許可部における運転禁止処理が実行されるように切換えがなされた状態にある場合には、冷媒漏洩センサとの通信が正常に行えない時に、運転が禁止され冷媒回路において冷媒が循環しない。よって、必要に応じて、冷媒漏洩に対する保安性を確保しうる。
【００１７】
本発明の第３観点に係る空調室内機は、第１観点又は第２観点に係る空調室内機であって、切換部は、切換えを決定するための決定手段を含む。これにより、ユーザ等が、冷媒漏洩センサとの通信が正常に行えないと判断した場合に報知情報を出力させるか否かの決定を、設置環境に応じて適宜行うことが可能となる。すなわち、報知の必要性がないと想定される設置態様で空調室内機が設置されている場合には、施工時における初期設定等において、ユーザ等の判断で係る報知を行わないように設定することが可能となる。よって、汎用性が向上する。
【００１８】
本発明の第４観点に係る空調室内機は、第３観点に係る空調室内機であって、決定手段は、ディップスイッチ又はジャンパ線である。これにより、容易かつ簡単な構成にして、ユーザ等が、報知情報を出力させるか否かの決定を、適宜行うことが可能となる。
【００１９】
本発明の第５観点に係る空調室内機は、第３観点又は第４観点に係る空調室内機であって、リモコンをさらに備える。リモコンは、ユーザがコマンドを入力するための入力部、を含む。入力部は、決定手段として機能する。これにより、容易かつ簡単な構成にして、ユーザ等が、報知情報を出力させるか否かの決定を、適宜行うことが可能となる。
【００２０】
本発明の第６観点に係る空調室内機は、第１観点又は第２観点に係る空調室内機であって、検出部をさらに備える。検出部は、設置されている高さ位置を検出する。切換部は、設置されている高さ位置に応じて切換えを行う。これにより、冷媒漏洩における危険性がない設置高さに設置される場合には報知を行わず、冷媒漏洩における危険性がある設置高さに設置される場合には報知を行うように、切換えが自動的に行われうる。よって、施工時やメンテナンス時等における初期設定に係る労力を抑制しうる。
【発明の効果】
【００２１】
本発明の第１観点に係る空調室内機では、ユーザ等が、冷媒漏洩に対する保安性が確保されていない状態にあることを認識可能となり、対処することが可能となる。よって、冷媒漏洩に対する保安性が向上する。また、必要に応じて、報知を行うか否かを決定することが可能となる。よって、ユーザが不必要に利便性又は快適性の低下を強いられることが抑制される。したがって、必要に応じて冷媒漏洩に対する保安性を確保しつつ、利便性及び快適性の低下を抑制することが可能となる。
【００２２】
本発明の第２観点に係る空調室内機では、必要に応じて、冷媒漏洩に対する保安性を確保しうる。
【００２３】
本発明の第３観点に係る空調室内機では、ユーザ等が、冷媒漏洩センサとの通信が正常に行えないと判断した場合に報知情報を出力させるか否かの決定を、設置環境に応じて適宜行うことが可能となる。よって、汎用性が向上する。
【００２４】
本発明の第４観点に係る空調室内機では、容易かつ簡単な構成にして、ユーザ等が、報知情報を出力させるか否かの決定を、適宜行うことが可能となる。
【００２５】
本発明の第５観点に係る空調室内機では、容易かつ簡単な構成にして、ユーザ等が、報知情報を出力させるか否かの決定を、適宜行うことが可能となる。
【００２６】
本発明の第６観点に係る空調室内機では、施工時やメンテナンス時等における初期設定に係る労力を抑制しうる。
【図面の簡単な説明】
【００２７】
【図１】本発明の一実施形態に係る室内ユニットを有する空調システムの概略構成図。
【図２】対象空間における各室内ユニットの配置態様を示した模式図。
【図３】対象空間における各室内ユニットの配置態様を、図２とは別の視点で示した模式図。
【図４】室内ユニット制御部の構成と、室内ユニット制御部に接続される機器を概略的に示したブロック図。
【図５】切換部に含まれるスイッチの外観図。
【図６】室内ユニット制御部の処理の流れの一例を示したフローチャート。
【図７】変形例Ａに係る空調システムの概略構成図。
【図８】変形例Ｏに係る室内ユニットを有する空調システムの概略構成図。
【図９】変形例Ｏに係る室内ユニット制御部の構成と、室内ユニット制御部に接続される機器を概略的に示したブロック図。
【図１０】変形例Ｏに係る室内ユニット制御部の処理の流れの一例を示したフローチャート。
【発明を実施するための形態】
【００２８】
以下、本発明の一実施形態に係る室内ユニット３０について説明する。なお、以下の実施形態は、本発明の具体例であって、本発明の技術的範囲を限定するものではなく、本発明の趣旨を逸脱しない範囲で適宜変更可能である。
【００２９】
本実施形態において、室内ユニット３０は、空調システム１００（空気調和機１１０）に適用されている。
【００３０】
（１）空調システム１００、空気調和機１１０
図１は、空調システム１００の概略構成図である。空調システム１００は、家屋等の屋内に含まれる対象空間において冷房や暖房等の空気調和を実現する装置である。空調システム１００は、２台の空気調和機１１０（１１０ａ、１１０ｂ）を有している。
【００３１】
空気調和機１１０は、１台の空調室内機と１台の室外機とで冷媒回路が構成される、いわゆるルームエアコンである。各空気調和機１１０は、冷媒回路ＲＣを含み、冷媒回路ＲＣにおいて冷媒を循環させて蒸気圧縮方式の冷凍サイクルを行うことにより、対象空間ＳＰの冷房又は暖房を行う。冷媒回路ＲＣには、冷媒として、例えば、Ｒ３２のような微燃性を有する冷媒、プロパンのような燃焼性を有する冷媒、又は、アンモニアのような毒性を有する冷媒が封入されている。
【００３２】
空気調和機１１０は、主として、熱源ユニットとしての１台の室外ユニット１０と、利用ユニットとしての１台の室内ユニット３０（３０ａ又は３０ｂ）と、入力装置としてのリモコン５０と、冷媒漏洩センサ５５と、を有している。具体的に、空気調和機１１０ａは、利用ユニットとして室内ユニット３０ａを有している。空気調和機１１０ｂは、利用ユニットとして室内ユニット３０ｂを有している。
【００３３】
（１−１）室外ユニット１０
室外ユニット１０は、室外（対象空間ＳＰ外）に設置される。室外ユニット１０は、主として、複数の冷媒配管（第１配管Ｐ１〜第６配管Ｐ６）と、圧縮機１１と、四路切換弁１２と、室外熱交換器１３と、膨張弁１４と、室外ファン１５と、室外ユニット制御部１６と、を有している。
【００３４】
第１配管Ｐ１は、ガス連絡配管ＧＰと四路切換弁１２とを接続する冷媒配管である。第２配管Ｐ２は、四路切換弁１２と圧縮機１１の吸入ポート（図示省略）とを接続する吸入配管である。第３配管Ｐ３は、圧縮機１１の吐出ポート（図示省略）と四路切換弁１２とを接続する吐出配管である。第４配管Ｐ４は、四路切換弁１２と室外熱交換器１３のガス側とを接続する冷媒配管である。第５配管Ｐ５は、室外熱交換器１３の液側と膨張弁１４とを接続する冷媒配管である。第６配管Ｐ６は、膨張弁１４と液連絡配管ＬＰとを接続する冷媒配管である。
【００３５】
圧縮機１１は、低圧のガス冷媒を吸入し、圧縮して吐出する機構である。圧縮機１１は、圧縮機モータ１１ａを内蔵された密閉式の構造を有している。圧縮機１１では、圧縮機ケーシング（図示省略）内に収容されたロータリ式やスクロール式等の圧縮要素（図示省略）が、圧縮機モータ１１ａを駆動源として駆動される。圧縮機モータ１１ａは、運転中、インバータ制御され、状況に応じて回転数を調整される。圧縮機１１は、駆動時に、吸入ポートから冷媒を吸入し、圧縮後、吐出ポートから吐出する。
【００３６】
四路切換弁１２は、冷媒回路ＲＣにおいて冷媒の流れる方向を切り換えるための切換弁である。四路切換弁１２は、第１配管Ｐ１、第２配管Ｐ２、第３配管Ｐ３及び第４配管Ｐ４と個別に接続されている。四路切換弁１２は、冷房運転時には、第１配管Ｐ１と第２配管Ｐ２とが接続されるとともに、第３配管Ｐ３と第４配管Ｐ４とが接続されるように、流路を切り換える（図１の四路切換弁１２の実線を参照）。また、四路切換弁１２は、暖房運転時には、第１配管Ｐ１と第３配管Ｐ３とが接続されるとともに、第２配管Ｐ２と第４配管Ｐ４とが接続されるように、流路を切り換える（図１の四路切換弁１２の破線を参照）。
【００３７】
室外熱交換器１３は、冷房運転時には冷媒の凝縮器又は放熱器として機能し、暖房運転時には冷媒の蒸発器として機能する熱交換器である。室外熱交換器１３は、冷媒が流れる伝熱管（図示省略）と、伝熱面積を増大する伝熱フィン（図示省略）と、を含む。室外熱交換器１３は、運転時において、伝熱管内の冷媒と、室外ファン１５によって生成される空気流と、が熱交換可能なように配置されている。
【００３８】
膨張弁１４は、開度調整が可能な電動弁である。膨張弁１４は、運転時には状況に応じて開度を適宜調整され、開度に応じて冷媒を減圧する。
【００３９】
室外ファン１５は、例えばプロペラファンである。室外ファン１５は、室外ファンモータ１５ａの出力軸に接続されており、室外ファンモータ１５ａに連動して駆動する。室外ファン１５は、駆動すると、外部から室外ユニット１０内に流入し室外熱交換器１３を通過してから室外ユニット１０外へ流出する空気流を生成する。
【００４０】
室外ユニット制御部１６は、ＣＰＵやメモリ等で構成されるマイクロコンピュータである。室外ユニット制御部１６は、室外ユニット１０における各アクチュエータの動作を制御する。室外ユニット制御部１６は、各室内ユニット３０の室内ユニット制御部３４（後述）と、通信線を介して接続されており、相互に信号の送受信を行う。
【００４１】
（１−２）室内ユニット３０（空調室内機）
本実施形態において、各室内ユニット３０（室内ユニット３０ａ及び３０ｂ）は、対象空間ＳＰの側壁Ｗ１内に設置されるいわゆる側壁埋込型（地袋設置型又は天袋設置型）の空調室内機である。各室内ユニット３０は、室外ユニット１０とともに冷媒回路ＲＣを構成している。各室内ユニット３０は、主として、室内熱交換器３１と、室内ファン３３と、室内ユニット制御部３４と、を有している。
【００４２】
室内熱交換器３１は、冷房運転時には冷媒の蒸発器として機能し、暖房運転時には冷媒の凝縮器又は放熱器として機能する熱交換器である。室内熱交換器３１は、いわゆるクロス・フィン・チューブ熱交換器である。室内熱交換器３１は、液側が液連絡配管ＬＰまで延びる冷媒配管に接続されるとともに、ガス側がガス連絡配管ＧＰまで延びる冷媒配管に接続されている。室内熱交換器３１は、運転時において、伝熱管（図示省略）内の冷媒と、室内ファン３３によって生成される空気流ＡＦ（図３参照）と、が熱交換可能なように配置されている。
【００４３】
室内ファン３３は、例えばターボファン、シロッコファン、クロスフローファン又はプロペラファン等の送風機である。室内ファン３３は、室内ファンモータ３３ａの出力軸に接続されている。室内ファン３３は、室内ファンモータ３３ａに連動して駆動する。室内ファン３３は、駆動すると、室内ユニット３０内に吸い込まれて室内熱交換器３１を通過した後に対象空間ＳＰへと吹き出される空気流ＡＦ、を生成する。
【００４４】
室内ユニット制御部３４は、ＣＰＵやメモリ等で構成されるマイクロコンピュータである。室内ユニット制御部３４は、室内ユニット３０におけるアクチュエータの動作を制御する。室内ユニット制御部３４は、室外ユニット制御部１６と、通信線を介して信号の送受信を行う。また、室内ユニット制御部３４は、対応するリモコン５０と通信線ｃｂ１で接続されており、互いに信号の送受信を行う。また、室内ユニット制御部３４は、冷媒漏洩センサ５５と、電気的に接続されており信号の送受信を行う。室内ユニット制御部３４は、施工時やメンテナンス時に各種設定を切り換えるための切換部６２を含んでいる。室内ユニット制御部３４の詳細については、後述する。
【００４５】
（１−３）リモコン５０
リモコン５０は、ＣＰＵやメモリ等で構成されるマイクロコンピュータを含むリモコン制御部（図示省略）と、空気調和機１１０へ各種コマンドを入力するための入力キーを含む入力部５０１（図４参照）と、各種情報を表示するための表示部５０２（図４参照）と、を有するユーザインターフェースである。
【００４６】
空気調和機１１０は、室内ユニット３０と同数（ここでは２台）のリモコン５０を有している。リモコン５０は、いずれかの室内ユニット３０と１対１で対応づけられており、リモコン５０は、対応する室内ユニット３０の室内ユニット制御部３４と、通信線ｃｂ１を介して通信を行う。
【００４７】
リモコン５０は、ユーザや管理者によって入力部５０１へコマンドを入力されると、入力されたコマンドに応じて、所定の信号（コマンド情報）を室内ユニット制御部３４に対し送信する。
【００４８】
また、リモコン５０は、室内ユニット制御部３４から所定の信号（表示信号）を送信されると、受信した表示信号に応じて、表示部５０２において所定の情報を表示する。具体的に、リモコン５０は、室内ユニット制御部３４から送信された所定の表示情報（後述する運転状態表示情報、冷媒漏洩表示情報、又はエラー表示情報）に基づき、表示部５０２において表示を行う。
【００４９】
（１−４）冷媒漏洩センサ５５
冷媒漏洩センサ５５は、対象空間ＳＰに配置されて、対象空間ＳＰにおける冷媒漏洩を検知するためのセンサである。本実施形態では、冷媒漏洩センサ５５は、公知の汎用品が用いられる。冷媒漏洩センサ５５は、施工時やメンテナンス時等においてサービスマンによって設置され、室内ユニット制御部３４との接続が行われる。本実施形態において、冷媒漏洩センサ５５は、室内ユニット３０のケーシング４０（後述）内に配置されている。
【００５０】
冷媒漏洩センサ５５は、内蔵されている室内ユニット３０の室内ユニット制御部３４と電気的に接続されている。冷媒漏洩センサ５５は、漏洩した冷媒（漏洩冷媒）を検出すると、冷媒漏洩が生じている旨を示す電気信号（以下、「冷媒漏洩信号」と記載）を、接続されている室内ユニット制御部３４に対して出力する。
【００５１】
また、冷媒漏洩センサ５５は、室内ユニット制御部３４との通信線ｃｂ１による接続が行われると（すなわち信号伝送路が正常に構築されると）、室内ユニット制御部３４に対して、接続が正常に確立されている旨（すなわち、冷媒漏洩センサ５５と正常に通信が行える状態にあること）を示す信号（接続通知信号）を継続的に送信する。
【００５２】
（２）空気調和機１１０の各運転
いずれかのリモコン５０において運転開始コマンドが入力されると、四路切換弁１２が運転モードに応じて所定の状態に切り換えられ、圧縮機１１及び室外ファン１５が起動するとともに、膨張弁１４が状況に応じた開度に制御される。また、室内ユニット３０において室内ファン３３が起動する。
【００５３】
（２−１）冷房運転
冷房運転時には、四路切換弁１２が冷房サイクル状態（図１の四路切換弁１２の実線で示された状態）に切り換えられる。係る状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、及び第４配管Ｐ４を通過して室外熱交換器１３に流入する。室外熱交換器１３に流入した冷媒は、室外ファン１５が生成する空気流と熱交換して凝縮する。室外熱交換器１３から流出した冷媒は、第５配管Ｐ５を通過して膨張弁１４に流入する。膨張弁１４に流入した冷媒は、膨張弁１４の開度に応じて減圧される。膨張弁１４から流出した冷媒は、第６配管Ｐ６及び液連絡配管ＬＰを通過して室内ユニット３０に流入する。
【００５４】
室内ユニット３０に流入した冷媒は、室内熱交換器３１に流入し、室内ファン３３によって生成される空気流ＡＦと熱交換して蒸発する。室内熱交換器３１から流出した冷媒は、ガス連絡配管ＧＰを通過して室外ユニット１０に流入する。
【００５５】
室外ユニット１０に流入した冷媒は、第１配管Ｐ１、四路切換弁１２、及び第２配管Ｐ２を通過して、再び圧縮機１１に吸入されて圧縮される。
【００５６】
（２−２）暖房運転
暖房運転時には、四路切換弁１２が暖房サイクル状態（図１の四路切換弁１２の破線で示された状態）に切り換えられる。係る状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、第１配管Ｐ１、及びガス連絡配管ＧＰを通過して室内ユニット３０に流入する。
【００５７】
室内ユニット３０に流入した冷媒は、室内熱交換器３１に流入し、室内ファン３３が生成する空気流ＡＦと熱交換して凝縮する。室内熱交換器３１から流出した冷媒は、液連絡配管ＬＰを通過して室外ユニット１０に流入する。
【００５８】
室外ユニット１０に流入した冷媒は、第６配管Ｐ６を通過して膨張弁１４に流入する。膨張弁１４に流入した冷媒は、膨張弁１４の開度に応じて減圧される。膨張弁１４から流出した冷媒は、室外熱交換器１３に流入する。室外熱交換器１３に流入した冷媒は、室外ファン１５によって生成される空気流と熱交換して蒸発する。室外熱交換器１３から流出した冷媒は、第４配管Ｐ４、四路切換弁１２、及び第２配管Ｐ２を通過して、再び圧縮機１１に吸入されて圧縮される。
【００５９】
（３）室内ユニット３０の詳細
図２は、対象空間ＳＰにおける各室内ユニット３０の配置態様を示した模式図である。図３は、対象空間ＳＰにおける各室内ユニット３０の配置態様を、図２とは別の視点で示した模式図である。
【００６０】
室内ユニット３０は、略直方体状の外郭を構成するケーシング４０を有している。室内ユニット３０は、ケーシング４０内に、室内熱交換器３１、膨張弁１４、及び室内ファン３３、等の機器を収容されている。
【００６１】
各室内ユニット３０は、対象空間ＳＰの側壁Ｗ１内に配置されている。具体的には、各室内ユニット３０は、対象空間ＳＰにおいてケーシング４０の正面部分（吸込口４１及び吹出口４２）が居住空間側に露出する態様で側壁Ｗ１内に埋め込まれて設置されている。本実施形態においては、室内ユニット３０ａが床面Ｆ１近傍（天井Ｃ１よりも床面Ｆ１に近い位置）に配置され、室内ユニット３０ｂが天井Ｃ１近傍（床面Ｆ１よりも天井Ｃ１に近い位置）に配置されている。すなわち、室内ユニット３０ａは、室内ユニット３０ｂの下方（室内ユニット３０ｂよりも低い位置）に配置されている。
【００６２】
室内ユニット３０は、ケーシング４０の正面部分（設置状態における正面部分）に、室内ファン３３が生成する空気流ＡＦの吸込口として機能する開口（以下、「吸込口４１」と称する）と、吹出口として機能する開口（以下、「吹出口４２」と称する）と、を形成されている。室内ユニット３０ａにおいて吹出口４２は吸込口４１の上方に位置し、室内ユニット３０ｂにおいて吹出口４２は吸込口４１の下方に位置している。
【００６３】
室内ユニット３０は、吹出口４２における空気流ＡＦの吹出方向を調整するフラップ４５（図４参照）を有している。室内ユニット３０では、フラップ４５の角度を変更することで空気流ＡＦの吹出風向を変更することが可能である。フラップ４５の動作は、室内ユニット制御部３４によって制御される。
【００６４】
室内ユニット３０は、施工時やメンテナンス時において、冷媒漏洩センサ５５を所定の設置位置に配置される。具体的に、室内ユニット３０は、ケーシング４０内において吹出口４２付近（より詳細には空気流ＡＦの空気流路上）に冷媒漏洩センサ５５を配置される。係る態様で冷媒漏洩センサ５５がケーシング４０内に配置されることで、冷媒がケーシング４０内で漏洩した場合に、漏洩冷媒が迅速に検知されるようになっている。
【００６５】
（４）室内ユニット制御部３４の詳細
図４は、室内ユニット制御部３４の構成と、室内ユニット制御部３４に接続される機器を概略的に示したブロック図である。
【００６６】
室内ユニット制御部３４は、上述のように、室外ユニット制御部１６と通信線を介して接続されている。また、室内ユニット制御部３４は、対応するリモコン５０と、通信線ｃｂ１を介して接続されている。また、室内ユニット制御部３４は、室内ユニット３０（３０ａ又は３０ｂ）に内蔵されている室内ファンモータ３３ａ、フラップ４５、及び冷媒漏洩センサ５５と、電気的に接続されている。また、室内ユニット制御部３４は、図示しない各種センサ（対象空間ＳＰ内の温度等を検出する温度センサ等）とも電気的に接続されている。
【００６７】
室内ユニット制御部３４は、主として、記憶部６１と、切換部６２と、入力制御部６３と、通信制御部６４と、接続判定部６５（判断部）と、運転許可部６６と、表示制御部６７（出力部）と、室内ファン制御部６８と、風向制御部６９と、を含んでいる。
【００６８】
（４−１）記憶部６１
記憶部６１は、ＲＯＭ、ＲＡＭ、及びフラッシュメモリ等で構成されている。記憶部６１は、各種情報を記憶するための揮発性又は不揮発性の記憶領域を含んでいる。具体的に、記憶部６１は、室内ユニット制御部３４における各部の処理に用いられる制御プログラム等を、所定の記憶領域において記憶している。
【００６９】
また、記憶部６１は、リモコン５０等を介してユーザや管理者によって入力されたコマンドに基づき特定される各種設定項目（室内ユニット３０の発停、運転モード、設定温度、設定風量、及び風向等）、を判別するためのコマンド判別フラグＦＬ１を含んでいる。コマンド判別フラグＦＬ１は、各設定項目に応じたビット数を含んでいる。コマンド判別フラグＦＬ１は、リモコン５０からコマンド情報を受信した際に入力制御部６３によって立てられる。
【００７０】
また、記憶部６１は、接続されている冷媒漏洩センサ５５の検出結果（すなわち、対象空間ＳＰにおける冷媒漏洩の有無）を判別するための冷媒漏洩判別フラグＦＬ２を含んでいる。冷媒漏洩判別フラグＦＬ２は、冷媒漏洩センサ５５から冷媒漏洩信号を受信した場合（すなわち、対象空間ＳＰにおいて冷媒漏洩が生じた場合）に、入力制御部６３によって立てられる。
【００７１】
また、記憶部６１は、冷媒漏洩センサ５５からの接続通知信号を受信しているか否か、を判別するための接続判別フラグＦＬ３を含んでいる。接続判別フラグＦＬ３は、入力制御部６３によって切り換えられる。具体的には、接続判別フラグＦＬ３は、冷媒漏洩センサ５５から接続通知信号を受信している時に立てられた状態となり、接続通知信号を受信していない時にはクリアされた状態となる。
【００７２】
また、記憶部６１は、その他の各種センサ（例えば対象空間ＳＰの温度を検出する温度センサ等）の検出結果を判別するための状況判別フラグＦＬ４を含んでいる。状況判別フラグＦＬ４は、各種センサから出力される情報の数に応じたビット数を含んでいる。
【００７３】
また、記憶部６１は、冷媒漏洩センサ５５との通信が正常に行えるか否か（すなわち、冷媒漏洩センサ５５が正常に機能するか否か）、を判別するためのセンサ状態判別フラグＦＬ５を含んでいる。センサ状態判別フラグＦＬ５は、接続判別フラグＦＬ３が所定時間ｔ１連続して立てられない場合（つまり、冷媒漏洩センサ５５から所定時間ｔ１連続して接続通知信号を受信しない場合）に、接続判定部６５によって立てられる。すなわち、センサ状態判別フラグＦＬ５は、冷媒漏洩センサ５５が適正に設置されている（冷媒漏洩センサ５５と適正に接続されている）か、冷媒漏洩センサ５５が正常に動作しているか、及び冷媒漏洩センサ５５との信号伝送路が正常に機能しているか、否かをリアルタイムに判別するためのフラグである。
【００７４】
また、記憶部６１は、空気調和機１１０の運転が禁止されているか否か、を判別するための運転禁止判別フラグＦＬ６を含んでいる。運転禁止判別フラグＦＬ６は、センサ状態判別フラグＦＬ５が立てられた場合（すなわち、冷媒漏洩センサ５５との通信が正常に行えない場合）に、運転許可部６６によって立てられる。
【００７５】
（４−２）切換部６２
切換部６２は、ユーザ等（ユーザ、サービスマン、及び管理者等）が各種設定を行うためのスイッチＳＷを複数含んでいる。図５は、スイッチＳＷの外観図である。
【００７６】
各スイッチＳＷは、Low状態（遮断状態）とHigh状態（導通状態）とを機械的に切り換えられる、ディップスイッチである。切換部６２は、施工時やメンテナンス時等に、ユーザやサービスマンによって特定のスイッチＳＷをHigh状態に切り換えられることで、各種設定事項を決定される。
【００７７】
例えば、スイッチＳＷは、室内ユニット３０が対象空間ＳＰの低位置（天井Ｃ１よりも床面Ｆ１に近い位置）に設置されているか、高位置（床面Ｆ１よりも天井Ｃ１に近い位置）に設置されているか、を識別するための設置高さ判別スイッチＳＷ１を含んでいる。
【００７８】
設置高さ判別スイッチＳＷ１は、室内ユニット３０が対象空間ＳＰの低位置に設置される場合には、施工時やメンテナンス時等においてサービスマンによってHigh状態（導通状態）に切り換えられるように、マニュアル等において規定されている。
【００７９】
（４−３）入力制御部６３
入力制御部６３は、リモコン５０から送信されたコマンド情報を受けて、コマンドに対応するようにコマンド判別フラグＦＬ１を立てる。
【００８０】
また、入力制御部６３は、冷媒漏洩センサ５５から冷媒漏洩信号を受信した場合、冷媒漏洩判別フラグＦＬ２を立てる。
【００８１】
また、入力制御部６３は、冷媒漏洩センサ５５から接続通知信号を受信している状態にある場合、接続判別フラグＦＬ３を立てる。一方、入力制御部６３は、冷媒漏洩センサ５５から接続通知信号を受信しない状態にある場合、接続判別フラグＦＬ３をクリアする（立てない）。
【００８２】
また、入力制御部６３は、他の各種センサから送信された信号を受信して、状況判別フラグＦＬ４の対応するビットを立てる。
【００８３】
（４−４）通信制御部６４
通信制御部６４は、室外ユニット制御部１６と、信号の送受信を行う機能部である。通信制御部６４は、室外ユニット制御部１６から送信された信号を受信して、記憶部６１の所定の記憶領域に格納する。
【００８４】
また、通信制御部６４は、状況に応じて、所定の信号を生成して室外ユニット制御部１６に対して送信する。例えば、通信制御部６４は、リモコン５０を介して運転開始や設定項目の決定に係るコマンドが入力されると、当該コマンドに関連して所定の信号を室外ユニット制御部１６に対して送信する。また、通信制御部６４は、冷媒漏洩判別フラグＦＬ２が立てられた場合（すなわち、対象空間ＳＰにおいて冷媒漏洩が生じた場合）、冷媒漏洩が生じていることを通知するための信号（冷媒漏洩通知信号）を、室外ユニット制御部１６に対して送信する。
【００８５】
（４−５）接続判定部６５
接続判定部６５は、冷媒漏洩センサ５５からの接続通知信号の有無に応じてセンサ状態判別フラグＦＬ５を設定する機能部である。接続判定部６５は、設置高さ判別スイッチＳＷ１がHigh状態（導通状態）に切換えられている場合（すなわち、室内ユニット３０が低位置に設置されていると想定される場合）には、通信判定処理を実行する。
【００８６】
接続判定部６５は、通信判定処理において、接続判定部６５は、接続判別フラグＦＬ３が立てられている場合（すなわち、冷媒漏洩センサ５５からの接続通知信号を受信している状態にある場合）には、センサ状態判別フラグＦＬ５を立てない（クリアする）。また、通信判定処理において、接続判定部６５は、接続判別フラグＦＬ３が立てられない状態が所定時間ｔ１継続した場合（すなわち、冷媒漏洩センサ５５からの接続通知信号を所定時間ｔ１連続して正常に受信しない場合）に、センサ状態判別フラグＦＬ５を立てる。すなわち、接続判定部６５は、通信判定処理において、冷媒漏洩センサ５５と通信が正常に行えるか否かの通信判断を行う。
【００８７】
係る通信判定処理が接続判定部６５によって行われることで、センサ状態判別フラグＦＬ５は、冷媒漏洩センサ５５との通信が正常に行えない場合、すなわち、冷媒漏洩センサ５５が正常に機能しないと想定される場合（例えば、冷媒漏洩センサ５５が適正に設置されていない、冷媒漏洩センサ５５と適正に接続されていない、冷媒漏洩センサ５５が正常に動作していない、又は冷媒漏洩センサ５５との信号伝送路が正常に機能していない、と想定される場合）に、立てられた状態となる。
【００８８】
なお、接続判定部６５は、時間を計測可能に構成されている。また、本実施形態において、所定時間ｔ１は３０ｓｅｃに設定されている。
【００８９】
ここで、接続判定部６５は、設置高さ判別スイッチＳＷ１がHigh状態（導通状態）に切換えられている場合（すなわち、室内ユニット３０が低位置に設置されていると想定される場合）に係る通信判定処理（通信判断）を実行する。換言すると、接続判定部６５は、切換部６２の設置高さ判別スイッチＳＷ１がLow状態（遮断状態）に切換えられている場合（すなわち、室内ユニット３０が高位置に設置されていると想定される状態）においては、通信判定処理を実行しない。
【００９０】
すなわち、センサ状態判別フラグＦＬ５は、設置高さ判別スイッチＳＷ１がHigh状態（導通状態）に切換えられている場合にのみ切り換えられ、設置高さ判別スイッチＳＷ１がLow状態（遮断状態）に切換えられている場合には常にクリアされた状態となる。これにより、室内ユニット３０では、室内ユニット３０が低位置に設置されていると想定される場合にのみ、接続判定部６５による通信判定処理、運転許可部６６による運転可否判定処理（後述）、及び表示制御部６７によるエラー表示情報（後述）の送信、が行われるようになっている。
【００９１】
つまり、室内ユニット３０では、通信判定処理、運転可否判定処理、及びエラー表示情報の送信（報知）を行わせるか否かは、切換部６２によって切換えられるようになっており、ユーザ等が設置高さ判別スイッチＳＷ１を介して適宜決定できるようになっている。
【００９２】
（４−６）運転許可部６６
運転許可部６６は、冷媒漏洩センサ５５からの冷媒漏洩信号又は接続通知信号の有無に応じて運転の許可／禁止を切り換える機能部である。
【００９３】
運転許可部６６は、冷媒漏洩判別フラグＦＬ２が立てられた場合（すなわち、冷媒漏洩が生じた場合）には、空気調和機１１０の運転を禁止すべく、運転禁止判別フラグＦＬ６を立てる（以下、当該処理を「冷媒漏洩時運転禁止処理」と称する）。
【００９４】
また、運転許可部６６は、センサ状態判別フラグＦＬ５が立てられていない（クリアされた）状態にある場合（すなわち、冷媒漏洩センサ５５と正常に通信が行えないと想定される場合）には、空気調和機１１０の運転を禁止すべく、運転禁止判別フラグＦＬ６を立てる（以下、当該処理を「運転可否判定処理」と称する）。
【００９５】
なお、上述のように、センサ状態判別フラグＦＬ５は、設置高さ判別スイッチＳＷ１がHigh状態（導通状態）に切換えられている場合にのみ切り換えられることから、運転許可部６６は、設置高さ判別スイッチＳＷ１がHigh状態（導通状態）に切換えられている場合にのみ運転可否判定処理を実行する。
【００９６】
すなわち、設置高さ判別スイッチＳＷ１がHigh状態（導通状態）に切換えられている場合（すなわち、室内ユニット３０が低位置に設置されていると想定される場合）において、冷媒漏洩センサ５５との通信が正常に行えないと想定される状態にある時には、運転許可部６６によって、空気調和機１１０の運転が禁止される。一方で、設置高さ判別スイッチＳＷ１がLow状態（遮断状態）に切換えられている場合（すなわち、室内ユニット３０が高位置に設置されていると想定される状態）においては、冷媒漏洩センサ５５との通信が正常に行えないと想定される時でも運転は禁止されない。
【００９７】
（４−７）表示制御部６７
表示制御部６７は、冷媒漏洩センサ５５からの状況に応じて所定の表示情報を生成してリモコン５０へ送信（出力）する機能部である。
【００９８】
表示制御部６７は、運転時には、コマンド判別フラグＦＬ１に基づき、運転状態（運転モード、設定温度、設定風量、設定風向等）を示す表示情報（運転状態表示情報）を生成して、リモコン５０へ送信する。
【００９９】
また、表示制御部６７は、冷媒漏洩判別フラグＦＬ２が立てられた場合（すなわち、冷媒漏洩が生じた場合）には、ユーザ等に報知すべく、冷媒漏洩が生じていることを示す表示情報（冷媒漏洩表示情報）を生成してリモコン５０へ送信する。
【０１００】
また、表示制御部６７は、冷媒漏洩判別フラグＦＬ２が立てられていない場合であって、センサ状態判別フラグＦＬ５が立てられていない（クリアされた）状態にある時には、冷媒漏洩センサ５５と正常に通信が行えないと想定されることを示す表示情報（エラー表示情報）を生成してリモコン５０へ送信する。すなわち、表示制御部６７は、接続判定部６５が冷媒漏洩センサ５５との通信が正常に行えないと判断した場合に、報知情報をリモコン５０に出力して表示させる。
【０１０１】
なお、上述のように、センサ状態判別フラグＦＬ５は、設置高さ判別スイッチＳＷ１がHigh状態（導通状態）に切換えられている場合にのみ切り換えられることから、表示制御部６７は、設置高さ判別スイッチＳＷ１がHigh状態（導通状態）に切換えられている場合にのみエラー表示情報を送信する。
【０１０２】
すなわち、室内ユニット３０では、設置高さ判別スイッチＳＷ１がHigh状態（導通状態）に切換えられている場合（すなわち、室内ユニット３０が低位置に設置されていると想定される場合）において、冷媒漏洩センサ５５が正常に機能しないと想定される状態にある時には、表示制御部６７によってエラー表示情報が送信され、リモコン５０において当該エラー表示情報が表示されて報知が行われる。一方で、設置高さ判別スイッチＳＷ１がLow状態（遮断状態）に切換えられている場合（すなわち、室内ユニット３０が高位置に設置されていると想定される状態）においては、冷媒漏洩センサ５５が正常に機能しないと想定される時でも、リモコン５０においてエラー表示情報が表示されず報知が行われない。
【０１０３】
（４−８）室内ファン制御部６８
室内ファン制御部６８は、制御プログラムに沿って、各フラグを適宜参照し、室内ファン３３（室内ファンモータ３３ａ）の発停及び回転数を制御する。室内ファン制御部６８は、コマンド判別フラグＦＬ１を適宜参照し、コマンド情報に基づいて、室内ファン３３（室内ファンモータ３３ａ）の発停及び回転数を、状況に応じて制御する。
【０１０４】
具体的に、室内ファン制御部６８は、リモコン５０等を介して、運転開始コマンドが入力されると、設定風量に基づいた回転数で室内ファン３３を駆動させる。また、室内ファン制御部６８は、運転時及び停止時に関わらず、冷媒漏洩判別フラグＦＬ２が立てられると、室内ファン３３を最大回転数で駆動させ、冷媒漏洩判別フラグＦＬ２が解除されるまで当該状態を継続させる。これにより、対象空間ＳＰにおいて冷媒漏洩が生じた場合には、最大風量の空気流ＡＦが対象空間ＳＰへ吹き出される。
【０１０５】
また、室内ファン制御部６８は、冷媒漏洩判別フラグＦＬ２が立てられていない状態で運転禁止判別フラグＦＬ６が立てられている時には、運転開始コマンドが入力された場合であっても、室内ファン３３を駆動させない（又は停止させる）。
【０１０６】
（４−９）風向制御部６９
風向制御部６９は、制御プログラムに沿って、各フラグを適宜参照し、フラップ４５の動作を状況に応じて制御する機能部である。風向制御部６９は、フラップ４５の動作を制御することで、空気流ＡＦの吹出方向を制御する。
【０１０７】
（５）室内ユニット制御部３４の処理の流れ
図６は、室内ユニット制御部３４の処理の流れの一例を示したフローチャートである。室内ユニット制御部３４は、電源を投入されると、例えば以下のような流れで処理を実行する。なお、以下の処理の流れは、一例であり、適宜変更が可能である。
【０１０８】
ステップＳ１０１において、室内ユニット制御部３４は、冷媒漏洩センサ５５からの冷媒漏洩信号があるか（すなわち、対象空間ＳＰにおいて冷媒漏洩が生じているか）否かを判定する。当該判定がＮＯの場合（すなわち、対象空間ＳＰにおいて冷媒漏洩が生じていない場合）には、ステップＳ１０２へ進む。一方、当該判定がＹＥＳの場合（すなわち、対象空間ＳＰにおいて冷媒漏洩が生じている場合）には、ステップＳ１０８へ進む。
【０１０９】
ステップＳ１０２において、室内ユニット制御部３４は、設置高さ判別スイッチＳＷ１がHigh状態（導通状態）に切り換えられるか否か（すなわち、室内ユニット３０が低位置に設置されているか否か）を判定する。当該判定がＮＯの場合（すなわち、室内ユニット３０が高位置に設置されていると想定される場合）には、ステップＳ１０４へ進む。一方、当該判定がＹＥＳの場合（すなわち、室内ユニット３０が低位置に設置されていると想定される場合）には、ステップＳ１０３へ進む。
【０１１０】
ステップＳ１０３において、室内ユニット制御部３４は、冷媒漏洩センサ５５と正常に通信が行えるか否か（すなわち、冷媒漏洩センサ５５からの接続通知信号を正常に受信しているか否か）を判定する。当該判定がＮＯの場合（すなわち、冷媒漏洩センサ５５からの接続通知信号を所定時間ｔ１連続して正常に受信しておらず、冷媒漏洩センサ５５が正常に機能していないと想定される場合）には、ステップＳ１０７へ進む。一方、当該判定がＹＥＳの場合（すなわち、冷媒漏洩センサ５５からの接続通知信号を正常に受信しており、冷媒漏洩センサ５５が正常に機能していると想定される場合）には、ステップＳ１０４へ進む。
【０１１１】
ステップＳ１０４において、室内ユニット制御部３４は、空気調和機１１０の運転を許可する（すなわち、運転禁止判別フラグＦＬ６を立てない（クリアする）ことで、運転開始コマンドの入力に応じて空気調和機１１０の運転が行われる状態とする）。その後、ステップＳ１０５へ進む。
【０１１２】
ステップＳ１０５において、室内ユニット制御部３４は、運転開始コマンドが入力されているか否か、を判定する。当該判定がＮＯの場合（すなわち、運転開始コマンドが入力されていない場合）には、ステップＳ１０１に戻る。一方、当該判定がＹＥＳの場合（すなわち、運転開始コマンドが入力されている場合）には、ステップＳ１０６へ進む。
【０１１３】
ステップＳ１０６において、室内ユニット制御部３４は、入力されているコマンド情報において特定される各種設定項目（運転モード、設定温度、設定風量、及び風向等）に基づき、各アクチュエータ（膨張弁１４、室内ファン３３、フラップ４５）の動作を制御するとともに、リモコン５０に運転状態表示情報を表示させる。その後、ステップＳ１０１に戻る。
【０１１４】
ステップＳ１０７において、室内ユニット制御部３４は、冷媒漏洩センサ５５との通信が正常に行えない事態にあることを受けて、空気調和機１１０の運転を禁止する（すなわち、運転禁止判別フラグＦＬ６を立てて、運転開始コマンドの入力の有無に関わらず、空気調和機１１０の運転が行われない状態とする）。
【０１１５】
また、室内ユニット制御部３４は、冷媒漏洩センサ５５との通信が正常に行えない（すなわち、冷媒漏洩センサ５５が正常に機能しないと想定される）事態にあることをユーザ等に報知すべく、エラー表示情報をリモコン５０に表示させる。これにより、ユーザ等は、冷媒漏洩センサ５５が正常に機能しないと想定される状況にあることを認識可能となる。
【０１１６】
その後、ステップＳ１０１に戻る。
【０１１７】
ステップＳ１０８において、室内ユニット制御部３４は、冷媒漏洩が生じたことを受けて、室内ファン３３を最大回転数で駆動させる。これにより、最大風量の空気流ＡＦが対象空間ＳＰに吹き出される。その結果、対象空間ＳＰに流出した漏洩冷媒が拡散され、濃度が高まることが抑制される。
【０１１８】
また、室内ユニット制御部３４は、冷媒漏洩通知信号を室外ユニット制御部１６へ送信する。なお、図示は省略するが、室外ユニット制御部１６は、冷媒漏洩通知信号を受けると、圧縮機１１及び室外ファン１５を停止するとともに、四路切換弁１２を冷房サイクル状態（図１に示す四路切換弁１２の実線で示す状態）に制御し、膨張弁１４を最小開度に制御する。その結果、冷媒回路ＲＣにおいて冷凍サイクル（冷媒の循環）が停止し、更なる冷媒漏洩が抑制される。
【０１１９】
また、室内ユニット制御部３４は、冷媒漏洩が生じていることをユーザ等に報知すべく、冷媒漏洩表示情報をリモコン５０に表示させる。これにより、ユーザ等は、対象空間ＳＰにおいて冷媒漏洩が生じていること認識可能となり、対処することが可能となる。
【０１２０】
その後、ステップＳ１０１に戻る。
【０１２１】
（６）室内ユニット３０の機能
（６−１）室内ユニット３０の保安性
室内ユニット３０では、冷媒漏洩に対する保安性が確保されるようになっている。
【０１２２】
すなわち、ルームエアコン（１台の室内ユニット３０と１台の室外ユニット１０とで冷媒回路ＲＣが構成される場合）においては、マルチタイプの空調システム（複数台の室内ユニット３０と１台の室外ユニット１０とで冷媒回路ＲＣを構成する場合）と比較して、充填冷媒量が小さい。充填冷媒量が特に大きくないルームエアコンにおいて室内ユニット３０が天井Ｃ１付近に設置される場合には、冷媒漏洩が生じても、対象空間ＳＰの床面Ｆ１付近に存在する漏洩冷媒は、天井Ｃ１付近に設置される室内ユニット３０（上方）から落下する漏洩冷媒によって拡散され、対象空間ＳＰにおいて漏洩冷媒の濃度が着火リスクのある値となることが避けられる。
【０１２３】
一方で、ルームエアコンであっても室内ユニット３０が低位置（床面Ｆ１付近）に設置されるケースにおいては、冷媒漏洩時に、床面Ｆ１付近に存在する漏洩冷媒が上方から落下する漏洩冷媒によって拡散されないため、対象空間ＳＰにおいて、床面Ｆ１付近に漏洩冷媒が滞留し、漏洩冷媒の濃度が着火リスクのある値となりうる。
【０１２４】
この点、室内ユニット３０では、施工時やメンテナンス時等において、対象空間ＳＰにおける設置位置が低位置（天井Ｃ１よりも床面Ｆ１に近い位置）か高位置（床面Ｆ１よりも天井Ｃ１に近い位置）か、に応じて、設置高さ判別スイッチＳＷ１をユーザ等によって切り換えられるように規定されている。そのうえで、設置高さ判別スイッチＳＷ１がHigh状態（導通状態）に切換えられている場合（すなわち、室内ユニット３０が低位置に設置されていると想定される場合）には、通信判定処理、運転可否判定処理、及びエラー表示情報の送信（報知）が行われるように構成されている。
【０１２５】
つまり、室内ユニット３０では、室内ユニット３０が低位置に設置されていると想定される場合において、冷媒漏洩センサ５５との通信が正常に行えるか否か（すなわち、冷媒漏洩センサ５５が正常に機能しない状態）にあるか否かの判定が行われ、冷媒漏洩センサ５５との通信が正常に行えない状態にある時には、空気調和機１１０の運転が禁止されるとともにユーザ等に対する報知が行われるようになっている。
【０１２６】
よって、室内ユニット３０が低位置に設置されている場合にも、冷媒漏洩に対する保安性が確保されるようになっている。
【０１２７】
なお、本実施形態においては、室内ユニット３０ａが低位置に設置され、室内ユニット３０ｂが高位置に設置されている。このことから、室内ユニット３０ａにおいては、設置高さ判別スイッチＳＷ１がHigh状態（導通状態）に切り換えられており、通信判定処理、運転可否判定処理、及びエラー表示情報の送信（報知）が行われる。その結果、冷媒漏洩に対する保安性が確保されている。
【０１２８】
（６−２）室内ユニット３０の利便性・快適性
室内ユニット３０では、冷媒漏洩に対する保安性が確保される一方で、快適性及び利便性の低下が抑制されている。
【０１２９】
すなわち、上述のように、充填冷媒量が特に大きくないルームエアコンにおいて室内ユニット３０が天井Ｃ１付近に設置される場合には、冷媒漏洩が生じても、対象空間ＳＰの床面Ｆ１付近に存在する漏洩冷媒は、天井Ｃ１付近に設置される室内ユニット３０（上方）から落下する漏洩冷媒によって拡散され、対象空間ＳＰにおいて漏洩冷媒の濃度が着火リスクのある値となることが避けられる。よって、ルームエアコンの天井Ｃ１付近に設置される室内ユニット３０においては、冷媒漏洩センサ５５との通信が正常に行えない状態にある場合にも報知や運転禁止を行う必要性が大きくなく、係る報知を行うことでかえってユーザの利便性や快適性の低下を招きかねない。
【０１３０】
この点、室内ユニット３０では、設置高さ判別スイッチＳＷ１がLow状態（遮断状態）に切換えられている場合（すなわち、室内ユニット３０が高位置に設置されていると想定される場合）には、通信判定処理、運転可否判定処理、及びエラー表示情報の送信（報知）が行われないように構成されている。
【０１３１】
つまり、マルチタイプの空調システムと比較して冷媒充填量が特に大きくない空気調和機１１０（ルームエアコン）の室内ユニット３０では、室内ユニット３０が高位置に設置されていると想定される場合、冷媒漏洩センサ５５との通信が正常に行える状態にあるか否か（すなわち、冷媒漏洩センサ５５が正常に機能しない状態にあるか否か）の判定が行われない。このため、冷媒漏洩センサ５５が正常に機能するか否かに関わらず、エラー表示情報の表示（報知）が行われることがなく、運転が禁止されることもない。
【０１３２】
よって、冷媒漏洩に対する保安性が確保されていると想定される状況においては、快適性及び利便性の低下が抑制されている。
【０１３３】
なお、本実施形態においては、室内ユニット３０ｂにおいては、設置高さ判別スイッチＳＷ１がLow状態（遮断状態）に切り換えられており、通信判定処理、運転可否判定処理、及びエラー表示情報の送信（報知）が行われない。その結果、室内ユニット３０ｂにおいては、ユーザ等に対して、不要な報知や運転禁止に係る処理が行われず、快適性や利便性が損なわれないようになっている。
【０１３４】
（７）室内ユニット３０の特徴
（７−１）
現地での施工時に、サービスマンによって冷媒漏洩センサ５５が設置され、室内ユニット３０と冷媒漏洩センサ５５とが電気的に接続される場合においては、係る設置又は接続が適正に行われないケースが考えられる。また、冷媒漏洩センサ５５が製品不良や経年劣化により、正常に動作しなくなるケースも考えられる。これらのケースにおいて、係る状態にあることがユーザ等によって認知されなければ、冷媒漏洩に対する保安性が確保されていない状態で日常的に運転が行われうる。よって、これらのケースにおいては、保安性を確保するべく、ユーザ等に対する報知を適宜行う必要がある。
【０１３５】
この点、室内ユニット３０では、接続判定部６５が冷媒漏洩センサ５５と通信が正常に行える否かの通信判断を行い、接続判定部６５が冷媒漏洩センサ５５との通信が正常に行えないと判断した場合（すなわち、冷媒漏洩センサ５５が正常に機能しない状態にある場合）に、表示制御部６７がエラー表示情報（報知情報）を出力している。これにより、冷媒漏洩センサ５５が正常に機能しない状態にある場合（例えば、冷媒漏洩センサ５５が適正に設置されていない、冷媒漏洩センサ５５と適正に接続されていない、冷媒漏洩センサ５５が正常に動作していない、又は冷媒漏洩センサ５５との間における信号伝送路が正常に機能していない、と想定される場合）には、ユーザ等に対してその旨が報知されるようになっている。その結果、ユーザ等が、冷媒漏洩に対する保安性が確保されていない状態にあることを認識可能となっており、対処することが可能となっている。よって、冷媒漏洩に対する保安性に優れている。
【０１３６】
一方で、ルームエアコン（１台の室内ユニット３０と１台の室外ユニット１０とで冷媒回路ＲＣが構成される場合）においては、マルチタイプの空調システム（複数台の室内ユニット３０と１台の室外ユニット１０とで冷媒回路ＲＣを構成する場合）と比較して、充填冷媒量が小さい。充填冷媒量が特に大きくないルームエアコンにおいて室内ユニット３０が天井Ｃ１付近に設置される場合には、冷媒漏洩が生じても、対象空間ＳＰの床面Ｆ１付近に存在する漏洩冷媒は、天井Ｃ１付近に設置される室内ユニット３０（上方）から落下する漏洩冷媒によって拡散され、対象空間ＳＰにおいて漏洩冷媒の濃度が着火リスクのある値となることが避けられる。よって、ルームエアコンの天井Ｃ１付近に設置される室内ユニット３０においては、上記報知を行う必要性が大きくなく、係る報知を行うことでかえってユーザの利便性や快適性の低下を招きかねない。
【０１３７】
しかし、ルームエアコンであっても室内ユニット３０が床面Ｆ１付近に設置されるケースにおいては、冷媒漏洩時に、床面Ｆ１付近に存在する漏洩冷媒が上方から落下する漏洩冷媒によって拡散されないため、対象空間ＳＰにおいて、床面Ｆ１付近に漏洩冷媒が滞留し、漏洩冷媒の濃度が着火リスクのある値となりうる。
【０１３８】
この点、室内ユニット３０では、切換部６２が、表示制御部６７における報知情報の出力、を行わせるか否かの切換えを行っている。これにより、報知の必要性がないと想定される設置態様で室内ユニット３０が設置されている場合（例えば、ルームエアコンの室内ユニット３０を天井Ｃ１付近に設置する場合等）には、係る報知を行わないように設定することが可能となっている。すなわち、必要に応じて、報知を行うか否かを決定することが可能となっており、ユーザが不必要に利便性又は快適性の低下を強いられることが抑制されている。
【０１３９】
したがって、必要に応じて冷媒漏洩に対する保安性を確保しつつ、利便性及び快適性の低下を抑制することが可能となっている。
【０１４０】
（７−２）
室内ユニット３０では、切換部６２は、設置高さ判別スイッチＳＷ１（決定手段）の状態に基づいて、運転許可部６６に運転禁止処理（接続判定部６５によって冷媒漏洩センサ５５との通信が正常に行えない状況にあると判断された場合に、空気調和機１１０の運転を禁止する処理）を行わせるか否か、の切換えを行っている。
【０１４１】
これにより、設置高さ判別スイッチＳＷ１がHigh状態（導通状態）に切り換えられている場合（すなわち、運転許可部６６における運転禁止処理が実行されるように切換えがなされた状態にある場合）には、冷媒漏洩センサ５５との通信が正常に行えない時に、空気調和機１１０の運転が禁止され冷媒回路ＲＣにおいて冷媒が循環しないようになっている。よって、必要に応じて、冷媒漏洩に対する保安性が確保されるようになっている。
【０１４２】
（７−３）
上記実施形態では、切換部６２は、Low状態（遮断状態）とHigh状態（導通状態）とを機械的に切り換えられることで、室内ユニット３０が対象空間ＳＰの低位置（天井Ｃ１よりも床面Ｆ１に近い位置）に設置されているか、高位置（床面Ｆ１よりも天井Ｃ１に近い位置）に設置されているか、を識別するための設置高さ判別スイッチＳＷ１を有していた。そのうえで、接続判定部６５による通信判定処理、運転許可部６６による運転可否判定処理、及び表示制御部６７によるエラー表示情報の送信、は設置高さ判別スイッチＳＷ１の状態がHigh状態（導通状態）にあることを条件として実行されていた。すなわち、切換部６２は、通信判定処理、運転可否判定処理、及びエラー表示情報の送信を行うか否か、をユーザ等が決定する決定手段としての設置高さ判別スイッチＳＷ１を有していた。
【０１４３】
これにより、容易且つ簡単な構成にして、冷媒漏洩センサ５５との通信が正常に行えないと判断した場合にエラー表示情報（報知情報）を出力させるか否か、及び運転許可部６６に運転禁止処理を行わせるか否か、の決定を、ユーザ等が設置環境に応じて適宜行うことが可能となっている。
【０１４４】
（８）変形例
上記実施形態は、以下の変形例に示すように適宜変形が可能である。なお、各変形例は、矛盾が生じない範囲で他の変形例と組み合わせて適用されてもよい。
【０１４５】
（８−１）変形例Ａ
上記実施形態では、空気調和機１１０は、室外ユニット１０と室内ユニット３０と、がガス連絡配管ＧＰ及び液連絡配管ＬＰで接続されることで冷媒回路ＲＣが構成される、いわゆるルームエアコンであった。しかし、空気調和機１１０は、同一冷媒系統に複数の室内ユニット３０が接続された、いわゆるマルチタイプの空調システムであってもよい。
【０１４６】
例えば、空気調和機１１０は、図７に示す空調システム１２０のように構成されてもよい。空調システム１２０では、１台の室外ユニット１０に室内ユニット３０ａ及び室内ユニット３０ｂの双方が接続されて冷媒回路ＲＣが構成されている。
【０１４７】
ここで、マルチタイプの空調システム１２０においては、充填冷媒量によっては、室内ユニット３０が天井Ｃ１付近に設置される場合であっても、冷媒漏洩時に対象空間ＳＰにおいて漏洩冷媒の濃度が着火リスクのある値となりうる。
【０１４８】
よって、空気調和機１１０をマルチタイプの空調システム１２０として構成する場合には、上記実施形態とは異なり、切換部６２の設置高さ判別スイッチＳＷ１がHigh状態（導通状態）に切換えられている場合（すなわち、室内ユニット３０が低位置に設置されていると想定される場合）、及びLow状態（遮断状態）に切換えられている場合（すなわち、室内ユニット３０が高位置に設置されていると想定される状態）、のいずれにおいても接続判定部６５による通信判定処理、運転許可部６６による運転可否判定処理、及び表示制御部６７によるエラー表示情報の送信、が行われるように構成することが望ましい。
【０１４９】
これにより、常に通信判定処理、運転可否判定処理、及びエラー表示情報の送信（報知）が実行されて、冷媒漏洩センサ５５が正常に機能しないと想定される場合（冷媒漏洩に対する保安性が確保されていない状態にある場合）には、ユーザ等が係る状態にあることを認識可能となって対処することが可能となるとともに、空調システム１２０の運転が禁止されるため、冷媒漏洩に対する保安性が確保される。
【０１５０】
なお、空調システム１２０では、室内ユニット３０ａ及び室内ユニット３０ｂとは別に、更なる室内ユニット３０が接続されて冷媒回路ＲＣが構成されてもよい。
【０１５１】
（８−２）変形例Ｂ
上記実施形態では、各室内ユニット３０は、対象空間ＳＰの側壁Ｗ１内に設定される、いわゆる側壁埋込型が採用されていた。しかし、室内ユニット３０は、必ずしも側壁埋込型である必要はない。例えば、室内ユニット３０ａ及び３０ｂのいずれか／双方は、対象空間ＳＰの側壁Ｗ１に固定される壁掛型、天井Ｃ１に固定される天井埋込型若しくは天井吊下型、床面Ｆ１に設置される床置型、又は床面Ｆ１の下方に設置される床埋込型、等であってもよい。
【０１５２】
（８−３）変形例Ｃ
上記実施形態では、室内ユニット制御部３４とリモコン５０とは、通信線ｃｂ１を介して通信を行うことで信号の送受信を行っていた。しかし、室内ユニット制御部３４及びリモコン５０間における信号の送受信は、赤外線又は電波を用いた無線通信により行われるように構成してもよい。
【０１５３】
（８−４）変形例Ｄ
上記実施形態では、冷媒漏洩センサ５５は、室内ユニット３０のケーシング４０内に配置されていた。しかし、冷媒漏洩センサ５５は、必ずしもケーシング４０内に配置される必要はなく、対象空間ＳＰにおける漏洩冷媒を検知可能な限り、他の場所に配置されてもよい。例えば、冷媒漏洩センサ５５は、対象空間ＳＰ内に設置されるリモコン５０や他の機器内に配置されてもよい。また、冷媒漏洩センサ５５は、対象空間ＳＰにおいて独立して配置されてもよい。
【０１５４】
また、上記実施形態では、冷媒漏洩センサ５５は、各室内ユニット３０に内蔵されていた。すなわち、対象空間ＳＰには、複数の冷媒漏洩センサ５５が設置されていた。しかし、対象空間ＳＰに設置される冷媒漏洩センサ５５の数は、必ずしも複数である必要はない。
【０１５５】
また、上記実施形態では、冷媒漏洩センサ５５は、施工時やメンテナンス時等にサービスマンによって設置されていた。しかし、冷媒漏洩センサ５５は、室内ユニット３０の製造時に室内ユニット３０に内蔵されて、室内ユニット３０とともに出荷されてもよい。
【０１５６】
（８−５）変形例Ｅ
上記実施形態では、冷媒漏洩センサ５５は、室内ユニット制御部３４と電気的に接続され、室内ユニット制御部３４に対して直接に冷媒漏洩信号又は接続通知信号を送信していた。しかし、冷媒漏洩センサ５５は、室内ユニット制御部３４に接続されるのに代えて、他の装置（例えば室外ユニット制御部１６やリモコン５０等）に接続され、当該他の装置に対して冷媒漏洩信号又は接続通知信号を送信するように構成してもよい。そして、冷媒漏洩信号を受信した当該他の装置から、室内ユニット制御部３４に対して、冷媒漏洩信号又は接続通知信号が転送されるように構成すればよい。
【０１５７】
（８−６）変形例Ｆ
上記実施形態では、冷媒漏洩センサ５５は、全ての室内ユニット３０（３０ａ及び３０ｂ）と接続されていた。しかし、冷媒漏洩センサ５５は、冷媒漏洩を検出する必要がないと想定される設置態様で設置される室内ユニット３０の室内ユニット制御部３４とは、必ずしも接続される必要はない。
【０１５８】
例えば、充填冷媒量が特に大きくないルームエアコンにおいて室内ユニット３０が高位置（天井Ｃ１付近）に設置される場合には、冷媒漏洩が生じても、対象空間ＳＰの床面Ｆ１付近に存在する漏洩冷媒は、天井Ｃ１付近に設置される室内ユニット３０（上方）から落下する漏洩冷媒によって拡散され、対象空間ＳＰにおいて漏洩冷媒の濃度が着火リスクのある値となることが避けられる。よって、係る場合（ルームエアコンにおいて室内ユニット３０が高位置（天井Ｃ１付近）に設置される場合であって、冷媒漏洩を検出せずとも冷媒漏洩に対する保安性が確保されている時）には、必ずしも冷媒漏洩センサ５５を室内ユニット制御部３４と通信可能に設置する必要はない。
【０１５９】
（８−７）変形例Ｇ
上記実施形態では、冷媒漏洩センサ５５は、室内ユニット制御部３４に対して継続的に接続通知信号を送信するものが採用されたが、他のタイプの冷媒漏洩センサ５５を採用してもよい。
【０１６０】
例えば、接続通知信号を定期的に（例えば所定時間が経過する毎に）送信するタイプの冷媒漏洩センサ５５を採用してもよい。
【０１６１】
また、接続判定部６５が冷媒漏洩センサ５５に対して定期的に（例えば所定時間が経過する毎に）信号（接続確認信号）を出力するように構成される場合には、係る接続確認信号に対する応答信号として接続通知信号を送信するタイプの冷媒漏洩センサ５５を採用してもよい。
【０１６２】
このようなタイプの冷媒漏洩センサ５５を採用する場合には、接続判定部６５における通信判定処理において、所定時間ｔ１を適宜変更すればよい。
【０１６３】
（８−８）変形例Ｈ
上記実施形態では、リモコン５０の表示部５０２において、エラー表示情報及び冷媒漏洩表示情報が表示されるように構成されていた。しかし、これに代えて／これとともに、他に報知部を設けて、冷媒漏洩センサ５５が正常に機能しないと想定される場合、及び冷媒漏洩が生じた場合に、表示制御部６７によって所定の駆動電圧を供給させることで、当該報知部に所定の情報を出力させるように構成してもよい。報知部としては、例えば、所定電圧を供給されることで点灯する発光部（例えばＬＥＤライト等）や、警告音等の音声を出力可能なスピーカを採用してもよい。係る場合、報知部は、リモコン５０や室内ユニット３０に配置してもよいし、他の機器に配置してもよいし、独立して配置してもよい。
【０１６４】
（８−９）変形例Ｉ
上記実施形態では、冷媒漏洩が検出された場合、冷媒回路ＲＣにおいて冷凍サイクル（冷媒の循環）を停止させるべく、圧縮機１１及び室外ファン１５が停止するとともに、四路切換弁１２が冷房サイクル状態（図１に示す四路切換弁１２の実線で示す状態）に制御され、膨張弁１４が最小開度に制御されるように構成されていた。しかし、係る制御については必ずしも必要ではなく、適宜省略してもよい。
【０１６５】
（８−１０）変形例Ｊ
上記実施形態における室内ユニット制御部３４を構成する各要素（６１、６２、・・・６９）は、必ずしも室外ユニット制御部１６又は室内ユニット制御部３４内に配置される必要はなく、通信ネットワークを介して通信可能な限り、他の場所に配置されてもよい。
【０１６６】
（８−１１）変形例Ｋ
接続判定部６５は、通信判定処理において、接続判別フラグＦＬ３が立てられない状態が所定時間ｔ１継続した場合（すなわち、冷媒漏洩センサ５５からの接続通知信号を所定時間ｔ１連続して正常に受信しない場合）には、センサ状態判別フラグＦＬ５をクリアするように構成され、所定時間ｔ１は３０ｓｅｃに設定されていた。しかし、所定時間ｔ１は、必ずしも３０ｓｅｃには限定されず、適宜変更が可能である。例えば、所定時間ｔ１は、１ｍｉｎでもよいし、１０ｓｅｃでもよい。
【０１６７】
（８−１２）変形例Ｌ
上記実施形態では、運転許可部６６は、運転可否判定処理として、センサ状態判別フラグＦＬ５が立てられていない（クリアされた）状態にある時に、空気調和機１１０の運転を禁止すべく、運転禁止判別フラグＦＬ６を立てるように構成されていた。しかし、運転許可部６６の運転可否判定処理については必ずしも必要ではなく、適宜省略が可能である。
【０１６８】
（８−１３）変形例Ｍ
上記実施形態では、接続判定部６５は、設置高さ判別スイッチＳＷ１がHigh状態（導通状態）に切換えられていること（すなわち、室内ユニット３０が低位置に設置されていると想定されること）を条件として、通信判定処理を実行するように構成されていた。しかし、これに限定されず、接続判定部６５は、切換部６２における設置高さ判別スイッチＳＷ１の状態に関わらず、通信判定処理を実行するように構成されてもよい。そのうえで、運転許可部６６における運転可否判定処理、及び表示制御部６７におけるエラー表示情報の送信（報知情報の出力）が、設置高さ判別スイッチＳＷ１がHigh状態（導通状態）に切換えられている場合にのみ行われるように構成すればよい。
【０１６９】
係る場合においても、運転許可部６６における運転可否判定処理、及び表示制御部６７における報知情報の出力を行わせるか否かが、切換部６２によって切換えられるといえる。
【０１７０】
（８−１４）変形例Ｎ
上記実施形態では、切換部６２は、通信判定処理、運転可否判定処理、及びエラー表示情報の送信を行うか否か、をユーザ等が決定する決定手段としての設置高さ判別スイッチＳＷ１を有していた。
【０１７１】
しかし、切換部６２は、設置高さ判別スイッチＳＷ１に代えて、ジャンパ線を配置されてもよい。より詳細には、室内ユニット３０が低位置に設置されていると想定される場合に、ジャンパ線を配置されて切換部６２内の回路が導通状態となることを条件として、冷媒漏洩センサ５５からの接続通知信号が所定時間ｔ１継続して受信されない時に、通信判定処理、運転可否判定処理、及びエラー表示情報の送信を行うように構成されてもよい。係る場合、ジャンパピンが上記決定手段として機能する。
【０１７２】
また、切換部６２は、決定手段として、設置高さ判別スイッチＳＷ１に代えて、リモコン５０等の入力装置を介してユーザ等から上記決定に係る決定コマンドを入力されてもよい。例えば、当該入力装置を介して、室内ユニット３０が低位置に設置されていることを示すコマンドが入力されることを、通信判定処理、運転可否判定処理、及びエラー表示情報の送信を行う条件としてもよい。すなわち、入力された当該コマンドが入力装置から切換部６２に送信されることを条件として、冷媒漏洩センサ５５からの接続通知信号が所定時間ｔ１継続して受信されない場合に、通信判定処理、運転可否判定処理、及びエラー表示情報の送信を行うように構成されてもよい。係る場合、当該コマンドを入力される入力装置（リモコン５０の場合には入力部５０１）が、上記決定手段として機能する。
【０１７３】
（８−１５）変形例Ｏ
上記実施形態の室内ユニット３０（３０ａ、３０ｂ）は、図８に示す室内ユニット３００（３００ａ、３００ｂ）のように変更されてもよい。以下、室内ユニット３００について説明する。なお、室内ユニット３０と共通する部分については説明を省略する。
【０１７４】
室内ユニット３００は、室内ユニット３００が設置されている状態における対象空間ＳＰにおける設置高さ、を検出する設置高さ検出センサ５８（検出部）を有している。設置高さ検出センサ５８は、カメラ等の光学系や、電磁波又は音波等を用いて、床面Ｆ１までの距離ｄ１（すなわち設置高さ）を検出する、公知の汎用品が採用される。設置高さ検出センサ５８は、距離ｄ１を検出後、検出値に相当する信号（設置高通知信号）を出力する。
【０１７５】
室内ユニット３００は、室内ユニット制御部３４に代えて、図９に示すような室内ユニット制御部３４ａを有している。室内ユニット制御部３４ａは、記憶部６１に代えて記憶部６１ａを含み、切換部６２に代えて切換部６２ａを含む。また、室内ユニット制御部３４ａは、設置高さ検出センサ５８と電気的に接続されている。
【０１７６】
記憶部６１ａは、室内ユニット３００が高位置（床面Ｆ１よりも天井Ｃ１に近い位置）に設置されているか、又は低位置（天井Ｃ１よりも床面Ｆ１に近い位置）に設置されているか、を判別するための設置高さ判別フラグＦＬ７を含んでいる。設置高さ判別フラグＦＬ７は、切換部６２ａによって状態を切り換えられる。
【０１７７】
切換部６２ａは、切換部６２とは異なり設置高さ判別スイッチＳＷ１を有していない。切換部６２ａは、設置高さ検出センサ５８からの設置高通知信号を入力されると、距離ｄ１が所定の閾値ΔＴｈ未満か否かを判定する設置高さ判定処理を行う。なお、閾値ΔＴｈは、設置される対象空間ＳＰの天井高さ等に応じて適宜設定され、例えば１．５ｍに設定されるが、適宜変更が可能である。
【０１７８】
切換部６２ａは、設置高さ判定処理において、距離ｄ１が閾値ΔＴｈ以上である場合には室内ユニット３００が高位置に設置されているものとして設置高さ判別フラグＦＬ７を立てない（クリアする）。一方、切換部６２ａは、設置高さ判定処理において、距離ｄ１が閾値ΔＴｈ未満である場合には室内ユニット３００が低位置に設置されているものとして設置高さ判別フラグＦＬ７を立てる。
【０１７９】
ここで、室内ユニット制御部３４ａでは、接続判定部６５は、設置高さ判別フラグＦＬ７を立てられている場合（すなわち、室内ユニット３０が低位置に設置されていると想定される場合）にのみ通信判定処理（通信判断）を実行するように構成される。換言すると、接続判定部６５は、設置高さ判別フラグＦＬ７が立てられていない場合（すなわち、室内ユニット３０が高位置に設置されていると想定される状態）においては、通信判定処理を実行しない。これにより、室内ユニット３００が低位置に設置されていると想定される場合にのみ、接続判定部６５による通信判定処理、運転許可部６６による運転可否判定処理、及び表示制御部６７によるエラー表示情報の送信（報知）、が行われる。
【０１８０】
室内ユニット制御部３４ａは、電源を投入されると、例えば図１０に示すような流れで処理を実行する。なお、図１０に示す処理の流れは、図６に示す処理の流れと、ステップＳ１０２がステップＳ１０２´に置き換わる点において相違する。
【０１８１】
図１０のステップＳ１０２´において、室内ユニット制御部３４ａは、距離ｄ１が閾値ΔＴｈ未満か否か（すなわち、室内ユニット３０が低位置に設置されているか否か）を判定する。当該判定がＮＯの場合（すなわち、距離ｄ１が閾値ΔＴｈ以上で、室内ユニット３０が高位置に設置されていると想定される場合）には、ステップＳ１０４へ進む。一方、当該判定がＹＥＳの場合（すなわち、距離ｄ１が閾値ΔＴｈ未満で、室内ユニット３０が低位置に設置されていると想定される場合）には、ステップＳ１０３へ進む。
【０１８２】
室内ユニット３００では、室内ユニット３００が低位置に設置されていると想定されることを条件として、接続判定部６５による通信判定処理、運転許可部６６による運転可否判定処理、及び表示制御部６７によるエラー表示情報の送信、が行われる。すなわち、通信判定処理、運転可否判定処理、及びエラー表示情報の送信（報知）が行われるか否かは、室内ユニット３００の設置高さ位置に応じて（設置高さ検出センサ５８からの設置高通知信号に応じて）、切換部６２ａによって切換えられている。
【０１８３】
その結果、室内ユニット３００が冷媒漏洩による危険性がない設置高さに設置される場合には報知及び運転禁止に係る処理が行われず、冷媒漏洩による危険性のある設置高さに設置される場合には報知及び運転禁止に係る処理が行われるように、自動的に切換えが行われうる。
【０１８４】
よって、室内ユニット３００では、施工時やメンテナンス時において、初期設定に係る労力が軽減される。また、室内ユニット３００では、設置高さ判別スイッチＳＷ１等の決定手段における人為的な設定ミス等によって、冷媒漏洩に対する保安性に係る所定の機能が発揮されない（すなわち、通信判定処理、運転可否判定処理、及びエラー表示情報の送信（報知）が行われるべき状況において行われない）ことが抑制される。
【０１８５】
なお、設置高さ検出センサ５８は、床面Ｆ１までの距離ｄ１ではなく、天井Ｃ１までの距離を検出するように設置されてもよい。係る場合、切換部６２ａによる設置高さ判定処理においては、距離ｄ１が閾値ΔＴｈ未満である場合には室内ユニット３００が高位置に設置されているものとして設置高さ判別フラグＦＬ７が立てられず、距離ｄ１が閾値ΔＴｈ以上である場合には室内ユニット３００が低位置に設置されているものとして設置高さ判別フラグＦＬ７が立てられる。
【産業上の利用可能性】
【０１８６】
本発明は、空調室内機に適用可能である。
【符号の説明】
【０１８７】
１０        ：室外ユニット
１６        ：室外ユニット制御部
３０、３０ａ、３０ｂ、３００、３００ａ、３００ｂ  ：室内ユニット（空調室内機）
３１        ：室内熱交換器
３３        ：室内ファン
３４、３４ａ  ：室内ユニット制御部
４０        ：ケーシング
５０        ：リモコン
５５        ：冷媒漏洩センサ
５８        ：設置高さ検出センサ（検出部）
６１、６１ａ  ：記憶部
６２、６２ａ  ：切換部
６３        ：入力制御部
６４        ：通信制御部
６５        ：接続判定部（判断部）
６６        ：運転許可部
６７        ：表示制御部（出力部）
６８        ：室内ファン制御部
６９        ：風向制御部
１００、１２０  ：空調システム
１１０、１１０ａ、１１０ｂ  ：空気調和機
５０１      ：入力部（決定手段）
５０２      ：表示部
ＡＦ        ：空気流
Ｃ１        ：天井
Ｆ１        ：床面
ＦＬ１      ：コマンド判別フラグ
ＦＬ２      ：冷媒漏洩判別フラグ
ＦＬ３      ：接続判別フラグ
ＦＬ４      ：状況判別フラグ
ＦＬ５      ：センサ状態判別フラグ
ＦＬ６      ：運転禁止判別フラグ
ＦＬ７      ：設置高さ判別フラグ
ＲＣ        ：冷媒回路
ＳＰ        ：対象空間
ＳＷ１      ：設置高さ判別スイッチ（決定手段）
Ｗ１        ：側壁
【先行技術文献】
【特許文献】
【０１８８】
【特許文献１】特開２０１２−１３３４８号公報
【図１】
2017036890.tif 000003
【図２】
2017036890.tif 000004
【図３】
2017036890.tif 000005
【図４】
2017036890.tif 000006
【図５】
2017036890.tif 000007
【図６】
2017036890.tif 000008
【図７】
2017036890.tif 000009
【図８】
2017036890.tif 000010
【図９】
2017036890.tif 000011
【図１０】
2017036890.tif 000012
【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
対象空間（ＳＰ）に設置され、冷媒回路（ＲＣ）を構成する空調室内機（３０、３００）であって、
前記対象空間における冷媒漏洩を検出する冷媒漏洩センサ（５５）と、通信が正常に行える否かの通信判断を行う判断部（６５）と、
前記判断部が前記冷媒漏洩センサとの通信が正常に行えないと判断した場合に、報知情報を出力する出力部（６７）と、
前記判断部における前記通信判断、又は前記出力部における前記報知情報の出力、を行わせるか否かの切換えを行う切換部（６２、６２ａ）と、
を備える空調室内機（３０、３００）。
【請求項２】
前記判断部が前記冷媒漏洩センサとの通信が正常に行えないと判断した場合に、運転を禁止する運転可否判定を行う運転許可部（６６）をさらに備え、
前記切換部は、前記運転許可部に前記運転可否判定を行わせるか否か、の切換えをさらに行う、
請求項１に記載の空調室内機（３０、３００）。
【請求項３】
前記切換部は、前記切換えを決定するための決定手段（ＳＷ１、５０１）を含む、
請求項１又は２に記載の空調室内機（３０）。
【請求項４】
前記決定手段は、ディップスイッチ（ＳＷ１）又はジャンパー線である、
請求項３に記載の空調室内機（３０）。
【請求項５】
ユーザがコマンドを入力するための入力部（５０１）、を含むリモコン（５０）をさらに備え、
前記入力部は、前記決定手段として機能する、
請求項３又は４に記載の空調室内機（３０）。
【請求項６】
設置されている高さ位置を検出する検出部（５８）をさらに備え、
前記切換部（６２ａ）は、前記高さ位置に応じて切り換える、
請求項１又は２に記載の空調室内機（３００）。